(57)【要約】      （修正有）【課題】コンパクトであり、確実な綴じ力をもち、開放がワンタッチで行える書類綴じ具を提供する。【解決手段】挾片プレートＡ１と挾片プレートＢ２を筒状ピン５で連結する。挾片プレートＡには歯を挾片プレートＢには爪４を取り付け、歯と爪の組み合わせによるラチェット機構を付加することで当該プレートＡ、Ｂ間で書類を挾んだ時の戻り止めとして機能させることにより挾む時に掛ける力の加減がそのまま書類の綴じ力として作用するので綴じ力調節が可能となる。又開放時にはレバーピン３頭部を中へ押し込むことでレバーピンの一部でレバーピンの中間部にあるテーパー形状がラチェットの爪を外すように作用して当該プレートＡ、Ｂがワンタッチにて開放状態となる。【選択図】図１
2010083051.tif 000002
【特許請求の範囲】
【請求項１】
挾片プレートＡ、挾片プレートＢ、筒状ピンの３つの要素を連結してヒンジを構成し、挾片プレートＡの一部で筒状ピンを包む形のボス周りにギザギザな歯を持つ円弧面を設け、当該Aと対向的に組合う挾片プレートＢには当該Ａの歯に対応する位置に爪を設けラチェットとして作用するように構成し、2枚の挾片プレートを指で両外側から押し付けることで書類を挾んで固定するが、その際に挾片プレートＡは内側に撓りながらラチェットが戻り止めとして働くので、撓りが書類の綴じ力として加わることになり、それにより綴じ力が手加減で任意に調節出来ることになり、又逆に綴じを開放する時はヒンジ支点横にあるレバーピン頭部を押し込むことで、それと一体をなすテーパーカムが歯から爪を外す構造を有し、ワンタッチにて開放状態になるなど取り扱いの簡単で、綴じが確実しかも邪魔な出っ張りが無くコンパクトであるなどを特徴とする書類綴じ具。
【発明の詳細な説明】
【技術分野】
【０００１】
本発明は、コンパクトで確実な綴じ力を持ちしかも作業が簡単、綴じ具を開放する際も作業がワンタッチで行える書類綴じ具に関するもの。
【背景技術】
【０００２】
従来の書類綴じ具(クリップ)には、大きく分けて次の様なタイプに分かれている。形は色々だが、針金を折り曲げて針金の弾力性を利用して挟むタイプ、多くは長円形に巻いたタイプが一般的、次に金属板ばねをコの字に折り曲げ、ばねの縮もうとする力を書類の綴じ力にし、綴じ口にレバー状の開き用金具を組み込み、そのレバーを指でつまんで開かせて書類に装着しつつ指を離して綴じ、レバーを畳むように内側に折るか外すようにして出っ張ったレバーを畳むタイプ、次にやはり金属ばねをコの字に曲げ、ばねの弾性を綴じ力にし、書類に装着する際は専用の装着用ツールを用いて書類に取り付けるタイプである。
【０００３】
針金を巻いたタイプのものは簡単な構造という利点がある一方、書類の綴じ力が弱い為に書類を開いた時や持ち運びをするうちに書類の綴じが段々バラけてしまう。レバー金具付金属板ばねは、書類をしっかり止めることが出来るという利点がある一方。綴じた書類を見開くときに、折り返したレバーが邪魔をして書類を完全に開くことが出来ない、レバーを取外すと綴じを開放する時レバーを探す手間が生じる。ツールを使って装着するタイプは、非常にコンパクトであるという利点がある一方、ツールが無いと装着出来ないし外す時に簡単に外れないなどの、それぞれに問題がある。
【特許文献１】特開平１５−７２２７０号公報
【特許文献２】特開平１６−１７５９８号公報
【非特許文献１】カウネット・カタログ２００８年Ｐ２９０、Ｐ２９２、Ｐ２９３
【発明の開示】
【発明が解決しようとする課題】
【０００４】
書類の綴じがくずれないだけの充分な綴じ力が必要であり、書類を開くときに邪魔にならないコンパクトさが必要であり、書類の着脱に手間が掛からないということが必要であるが、従来のものには個々の機能は有っても全て満たすものは無く、本発明によって従来の問題を解決し、使い勝手の良い綴じ具を実現することを目的とする。
【課題を解決するための手段】
【０００５】
図１の１挾片プレートＡ，２挾片プレートＢを５筒状ピンで連結構成することによりコンパクトな形を形成でき、更に挾片プレートＡの筒状ピン外周部に歯を設け、挾片プレートＢに設けた爪とのラチェット構造に依る戻り止め効果で綴じ力を充分に掛ける事が可能となる。又爪を外す為の３レバーピンを近傍に設ける。このピンは中間部辺りにテーパ形状を有しているので、レバーピンの軸方向移動に依りこのテーパー部が爪を容易に外すことが出来る。つまり挾片プレートＡの開放をワンタッチで行うことが可能となる。
【発明の効果】
【０００６】
上述したように、本発明の書類綴じ具は、綴じた書類をしっかり保持し、綴じ状態で書類を開いて見るときに邪魔をする出っ張りが無く、書類を足したいときに綴じ具を開くのもワンタッチで行える。ヒンジ構造である為従来型に比べて厚い書類も綴じることが可能など使い勝手の良い綴じ具を提供できる。
【発明を実施するための最良の形態】
【０００７】
以下、本発明の実施の形態を図１〜図６に基づいて説明する。
【実施例】
【０００８】
図１は、本発明書類綴じ具の使用状態を表した、図２を断面図示したものである。図２において1は挾片プレートＡ、２は挾片プレートＢ、８は書類を表す。
【０００９】
図１の断面図において、１挾片プレートＡと２挾片プレートＢを５筒状ピンで連結し本綴じ具の特徴であるヒンジを構成する。２挾片プレートＢは右側面から左側面にかけて、上下２列の貫通穴が開いている。上側は筒状ピンと１挾片プレートＡによるヒンジ構成部分である。筒状ピンの芯部は中空になっており、コの字型をした３レバーピンの上側のピン１本が入り込んでいる。下側貫通穴には３レバーピンの下側のピン１本が入っている。この下側のピンの中間部分がテーパー形状になっているので、表出している頭部を指で押して中に移動させると、テーパー部が４爪を押しのける働きをする。この４爪は２挾片プレートＢに根元部分が固定されている。図４はその状態を表す。１挾片プレートＡには４爪の相対位置で尚且つ筒状ピンの外周部に階段状の歯が刻んでありレバーピンを押してない時には爪と歯があたっている。綴じる前の挾片プレートＡが全開の時は、爪が挾片プレートＡの開放限界ストッパーとして働く。図３にその状態を表す。挾片プレートＡ全開から綴じを開始していくと途中から歯と爪が噛合い、ラチェットとして戻り止めの機能をしつつ綴じを完了する。図２にその状態を示す。綴じを開放する時は、３レバーピンの表出している頭部を指で押すことで、ピン全体が中に移動し爪が歯から外れることになり、挾片プレートＡは開放状態になる。図５にその差動状態と挾片プレートＡの歯の形状を示す。６プレートばねは挾片プレートＡを全開まで開かせる為のばねである。７レバーピンばねは、指で頭部を押した時に中に入った３レバーピンを元の位置に戻す為のばねである。ただそのまま戻っても３レバーピンは戻り過ぎて抜け落ちてしまうのであるが、４爪の戻り力がレバーピン側面をおしている性格上この状態でレバーピンが元に戻ろうとした時、爪側面がピンの段付部の段差に引っ掛かって止まることになり、３レバーピンの戻りのストッパーとなる。
【図面の簡単な説明】
【００１０】
【図１】書類綴じ具の実施方法の内部構造を示した説明図である。
【図２】書類綴じ具の実施方法の書類を綴じた状況を示した説明図である。
【図３】書類綴じ具の実施方法の綴じ具が開いた状況を示した説明図である。
【図４】書類綴じ具の実施方法のプレートＡの歯の形を示した説明図である。
【図５】書類綴じ具の実施方法の綴じ具の爪の取り付け状況を示した説明図である。
【図６】書類綴じ具の実施方法の綴じ具の爪と歯の関係を示した説明図である。
【符号の説明】
【００１１】
１  挾片プレートＡ
２  挾片プレートＢ
３  レバーピン
４  爪
５  筒状ピン
６  プレートばね
７  レバーピンばね
８  書類
【図１】
2010083051.tif 000003
【図２】
2010083051.tif 000004
【図３】
2010083051.tif 000005
【図４】
2010083051.tif 000006
【図５】
2010083051.tif 000007
【図６】
2010083051.tif 000008
【手続補正書】
【提出日】平成20年10月29日(2008.10.29)
【手続補正１】
【補正対象書類名】特許請求の範囲
【補正対象項目名】全文
【補正方法】変更
【補正の内容】
【特許請求の範囲】
【請求項１】
挾片プレートＡ、挾片プレートＢ、筒状ピンの３つの要素を連結してヒンジを構成し、挾片プレートＡの一部で筒状ピンを包む形のボス周りにギザギザな歯を持つ円弧面を設け、当該Aと対向的に組合う挾片プレートＢには当該Ａの歯に対応する位置に爪を設けラチェットとして作用するように構成し、2枚の挾片プレートを指で両外側から押し付けることで書類を挾んで固定するが、その際に挾片プレートＡは内側に撓りながらラチェットが戻り止めとして働くので、撓りが書類の綴じ力として加わることになり、それにより綴じ力が手加減で任意に調節出来ることになり、又逆に綴じを開放する時はヒンジ支点横にあるレバーピン頭部を押し込むことで、それと一体をなすテーパーカムが歯から爪を外す構造を有し、ワンタッチにて開放状態になるなど取り扱いの簡単で、綴じが確実しかも邪魔な出っ張りが無くコンパクトであるなどを特徴とする書類綴じ具。
【請求項２】
請求項１の、挾片プレートＢに円柱状の突起をつけるが、その突起の付く側は挾片プレートＡに面した側であり、その突起に合わせる形で挾片プレートＡには長円形の穴を開けることで、パンチングした書類を簡単、更に確実に綴じることを実現できる。
【手続補正２】
【補正対象書類名】明細書
【補正対象項目名】全文
【補正方法】変更
【補正の内容】
【発明の詳細な説明】
【技術分野】
【０００１】
本発明は、コンパクトで確実な綴じ力を持ちしかも作業が簡単、綴じ具を開放する際も作業がワンタッチで行える書類綴じ具に関するもの。
【背景技術】
【０００２】
従来の書類綴じ具(クリップ)には、大きく分けて次の様なタイプに分かれている。形は色々だが、針金を折り曲げて針金の弾力性を利用して挟むタイプ、多くは長円形に巻いたタイプが一般的、次に金属板ばねをコの字に折り曲げ、ばねの縮もうとする力を書類の綴じ力にし、綴じ口にレバー状の開き用金具を組み込み、そのレバーを指でつまんで開かせて書類に装着しつつ指を離して綴じ、レバーを畳むように内側に折るか外すようにして出っ張ったレバーを畳むタイプ、次にやはり金属ばねをコの字に曲げ、ばねの弾性を綴じ力にし、書類に装着する際は専用の装着用ツールを用いて書類に取り付けるタイプである。
【０００３】
針金を巻いたタイプのものは簡単な構造という利点がある一方、書類の綴じ力が弱い為に書類を開いた時や持ち運びをするうちに書類の綴じが段々バラけてしまう。レバー金具付金属板ばねは、書類をしっかり止めることが出来るという利点がある一方。綴じた書類を見開くときに、折り返したレバーが邪魔をして書類を完全に開くことが出来ない、レバーを取外すと綴じを開放する時レバーを探す手間が生じる。ツールを使って装着するタイプは、非常にコンパクトであるという利点がある一方、ツールが無いと装着出来ないし外す時に簡単に外れないなどの、それぞれに問題がある。
【特許文献１】特開平１５−７２２７０号公報
【特許文献２】特開平１６−１７５９８号公報
【非特許文献１】カウネット・カタログ２００８年Ｐ２９０、Ｐ２９２、Ｐ２９３
【発明の開示】
【発明が解決しようとする課題】
【０００４】
書類の綴じがくずれないだけの充分な綴じ力が必要であり、書類を開くときに邪魔にならないコンパクトさが必要であり、書類の着脱に手間が掛からないということが必要であるが、従来のものには個々の機能は有っても全て満たすものは無く、本発明によって従来の問題を解決し、使い勝手の良い綴じ具を実現することを目的とする。
【課題を解決するための手段】
【０００５】
図１の１挾片プレートＡ，２挾片プレートＢを５筒状ピンで連結構成することによりコンパクトな形を形成でき、更に挾片プレートＡの筒状ピン外周部に歯を設け、挾片プレートＢに設けた爪とのラチェット構造に依る戻り止め効果で綴じ力を充分に掛ける事が可能となる。又爪を外す為の３レバーピンを近傍に設ける。このピンは中間部辺りにテーパ形状を有しているので、レバーピンの軸方向移動に依りこのテーパー部が爪を容易に外すことが出来る。つまり挾片プレートＡの開放をワンタッチで行うことが可能となる。
【発明の効果】
【０００６】
上述したように、本発明の書類綴じ具は、綴じた書類をしっかり保持し、綴じ状態で書類を開いて見るときに邪魔をする出っ張りが無く、書類を足したいときに綴じ具を開くのもワンタッチで行える。ヒンジ構造である為従来型に比べて厚い書類も綴じることが可能など使い勝手の良い綴じ具を提供できる。
【発明を実施するための最良の形態】
【０００７】
以下、本発明の実施の形態を図１〜図７に基づいて説明する。
【実施例】
【０００８】
図１は、本発明書類綴じ具の使用状態を表した、図２を断面図示したものである。図２において1は挾片プレートＡ、２は挾片プレートＢ、８は書類を表す。
【０００９】
図１の断面図において、１挾片プレートＡと２挾片プレートＢを５筒状ピンで連結し本綴じ具の特徴であるヒンジを構成する。２挾片プレートＢは右側面から左側面にかけて、上下２列の貫通穴が開いている。上側は筒状ピンと１挾片プレートＡによるヒンジ構成部分である。筒状ピンの芯部は中空になっており、コの字型をした３レバーピンの上側のピン１本が入り込んでいる。下側貫通穴には３レバーピンの下側のピン１本が入っている。この下側のピンの中間部分がテーパー形状になっているので、表出している頭部を指で押して中に移動させると、テーパー部が４爪を押しのける働きをする。この４爪は２挾片プレートＢに根元部分が固定されている。図４はその状態を表す。１挾片プレートＡには４爪の相対位置で尚且つ筒状ピンの外周部に階段状の歯が刻んでありレバーピンを押してない時には爪と歯があたっている。綴じる前の挾片プレートＡが全開の時は、爪が挾片プレートＡの開放限界ストッパーとして働く。図３にその状態を表す。挾片プレートＡ全開から綴じを開始していくと途中から歯と爪が噛合い、ラチェットとして戻り止めの機能をしつつ綴じを完了する。図２にその状態を示す。綴じを開放する時は、３レバーピンの表出している頭部を指で押すことで、ピン全体が中に移動し爪が歯から外れることになり、挾片プレートＡは開放状態になる。図５にその差動状態と挾片プレートＡの歯の形状を示す。６プレートばねは挾片プレートＡを全開まで開かせる為のばねである。７レバーピンばねは、指で頭部を押した時に中に入った３レバーピンを元の位置に戻す為のばねである。ただそのまま戻っても３レバーピンは戻り過ぎて抜け落ちてしまうのであるが、４爪の戻り力がレバーピン側面をおしている性格上この状態でレバーピンが元に戻ろうとした時、爪側面がピンの段付部の段差に引っ掛かって止まることになり、３レバーピンの戻りのストッパーとなる。
【図面の簡単な説明】
【００１０】
【図１】書類綴じ具の実施方法の内部構造を示した説明図である。
【図２】書類綴じ具の実施方法の書類を綴じた状況を示した説明図である。
【図３】書類綴じ具の実施方法の綴じ具が開いた状況を示した説明図である。
【図４】書類綴じ具の実施方法のプレートＡの歯の形を示した説明図である。
【図５】書類綴じ具の実施方法の綴じ具の爪の取り付け状況を示した説明図である。
【図６】書類綴じ具の実施方法の綴じ具の爪と歯の関係を示した説明図である。
【図７】書類綴じ具の実施方法のパンチングした書類を綴じる状況を示した説明図である。
【符号の説明】
【００１１】
１  挾片プレートＡ
２  挾片プレートＢ
３  レバーピン
４  爪
５  筒状ピン
６  プレートばね
７  レバーピンばね
８  書類
９  突起
１０  長円形の穴
【手続補正３】
【補正対象書類名】図面
【補正対象項目名】全図
【補正方法】変更
【補正の内容】
【図１】
2010083051.tif 000009
【図２】
2010083051.tif 000010
【図３】
2010083051.tif 000011
【図４】
2010083051.tif 000012
【図５】
2010083051.tif 000013
【図６】
2010083051.tif 000014
【図７】
2010083051.tif 000015